【手続補正書】
【提出日】平成16年12月3日(2004.12.3)
【手続補正１】
【補正対象書類名】明細書
【補正対象項目名】発明の名称
【補正方法】変更
【補正の内容】
【発明の名称】データ処理装置および印刷制御方法およびコンピュータが読み取り可能なプログラム
【手続補正２】
【補正対象書類名】明細書
【補正対象項目名】特許請求の範囲
【補正方法】変更
【補正の内容】
【特許請求の範囲】
【請求項１】
メディアのセンス結果を取得する取得手段と、
前記取得手段による取得結果に基づきフチなし印刷可能なメディアか否かを判別する判別手段と、
前記判別手段によりフチなし印刷可能なメディアでないと判別された場合、フチあり印刷に変更する変更手段とを有することを特徴とするデータ処理装置。
【請求項２】
前記判別手段は、前記取得手段による取得結果に基づきフチなし印刷できないメディアの可能性があるか否かを判別することを特徴とする請求項１記載のデータ処理装置。
【請求項３】
前記変更手段は、前記判別手段によりフチなし印刷可能なメディアでないと判別された場合、フチあり印刷に変更するかユーザに確認する画面を表示し、ユーザによりフチあり印刷に変更すると指示された場合にフチあり印刷に変更することを特徴とする請求項１記載のデータ処理装置。
【請求項４】
前記変更手段は、画像を補正することによりフチあり印刷に変更することを特徴とする請求項１記載のデータ処理装置。
【請求項５】
前記変更手段は、画像を縮小することによりフチあり印刷に変更することを特徴とする請求項１記載のデータ処理装置。
【請求項６】
前記変更手段は、画像の一部を削除することによりフチあり印刷に変更することを特徴とする請求項１記載のデータ処理装置。
【請求項７】
メディアのセンス結果を取得する取得ステップと、
前記取得ステップによる取得結果に基づきフチなし印刷可能なメディアか否かを判別する判別ステップと、
前記判別ステップによりフチなし印刷可能なメディアでないと判別された場合、フチあり印刷に変更する変更ステップとを有することを特徴とする印刷制御方法。
【請求項８】
前記判別ステップは、前記取得ステップによる取得結果に基づきフチなし印刷できないメディアの可能性があるか否かを判別することを特徴とする請求項７記載の印刷制御方法。
【請求項９】
前記変更ステップは、前記判別ステップによりフチなし印刷可能なメディアでないと判別された場合、フチあり印刷に変更するかユーザに確認する画面を表示し、ユーザによりフチあり印刷に変更すると指示された場合にフチあり印刷に変更することを特徴とする請求項７記載の印刷制御方法。
【請求項１０】
前記変更ステップは、画像を補正することによりフチあり印刷に変更することを特徴とする請求項７記載の印刷制御方法。
【請求項１１】
前記変更ステップは、画像を縮小することによりフチあり印刷に変更することを特徴とする請求項７記載の印刷制御方法。
【請求項１２】
前記変更ステップは、画像の一部を削除することによりフチあり印刷に変更することを特徴とする請求項７記載の印刷制御方法。
【請求項１３】
メディアのセンス結果を取得する取得ステップと、
前記取得ステップによる取得結果に基づきフチなし印刷可能なメディアか否かを判別する判別ステップと、
前記判別ステップによりフチなし印刷可能なメディアでないと判別された場合、フチあり印刷に変更する変更ステップとを有することを特徴とするコンピュータ読み取り可能なプログラム。
【請求項１４】
前記判別ステップは、前記取得ステップによる取得結果に基づきフチなし印刷できないメディアの可能性があるか否かを判別することを特徴とする請求項１３記載のコンピュータ読み取り可能なプログラム。
【請求項１５】
前記変更ステップは、前記判別ステップによりフチなし印刷可能なメディアでないと判別された場合、フチあり印刷に変更するかユーザに確認する画面を表示し、ユーザによりフチあり印刷に変更すると指示された場合にフチあり印刷に変更することを特徴とする請求項１３記載のコンピュータ読み取り可能なプログラム。
【請求項１６】
前記変更ステップは、画像を補正することによりフチあり印刷に変更することを特徴とする請求項１３記載のコンピュータ読み取り可能なプログラム。
【請求項１７】
前記変更ステップは、画像を縮小することによりフチあり印刷に変更することを特徴とする請求項１３記載のコンピュータ読み取り可能なプログラム。
【請求項１８】
前記変更ステップは、画像の一部を削除することによりフチあり印刷に変更することを特徴とする請求項１３記載のコンピュータ読み取り可能なプログラム。
【請求項１９】
印刷部に搬送される用紙の特性情報の検出部を備え、用紙を
搬送して該用紙の全面または一部へ印刷を行う印刷モードを設定可能な印刷装置と通信可能なデータ処理装置であって、
前記用紙の特性情報を前記印刷装置より獲得する特性情報獲得手段と、
前記検出部が検出可能な用紙の特性情報をグループ判定するための判別データを記憶する記憶手段と、
前記特性情報獲得手段により獲得される特性情報と前記判別データとに基づいて、前記用紙の全面印刷の適否を判定する適性判定手段と、
前記画像情報に対して全面印刷モードが指定されている場合に、前記適性判定手段による判定結果に基づいて、生成される画像情報に所定の画像処理を施して補正する画像補正手段と、
前記画像補正手段により補正された画像情報を前記印刷装置へ出力する出力手段と、
を有することを特徴とするデータ処理装置。
【請求項２０】
印刷部に搬送される用紙の特性情報の検出部を備え、用紙を搬送して該用紙の全面または一部へ印刷を行う印刷モードを設定可能な印刷装置と通信可能なデータ処理装置における印刷制御方法であって、
前記用紙の特性情報を前記印刷装置より獲得する特性情報獲得ステップと、
前記特性情報獲得ステップにより獲得される特性情報と記憶される前記検出部が検出可能な用紙の特性情報をグループ判定するための判別データとに基づいて、前記用紙の全面印刷の適否を判定する適性判定ステップと、
前記画像情報に対して全面印刷モードが指定されている場合に、前記適性判定ステップによる判定結果に基づいて、生成される画像情報に所定の画像処理を施して補正する画像補正ステップと、
前記画像補正ステップにより補正された画像情報を前記印刷装置へ出力する出力ステップと、
を有することを特徴とする印刷制御方法。
【請求項２１】
印刷部に搬送される用紙の特性情報の検出部を備え、用紙を搬送して該用紙の全面または一部へ印刷を行う印刷モードを設定可能な印刷装置と通信可能なデータ処理装置で実行されるプログラムであって、
前記用紙の特性情報を前記印刷装置より獲得する特性情報獲得ステップと、
前記特性情報獲得ステップにより獲得される特性情報と記憶される前記検出部が検出可能な用紙の特性情報をグループ判定するための判別データとに基づいて、前記用紙の全面印刷の適否を判定する適性判定ステップと、
前記画像情報に対して全面印刷モードが指定されている場合に、前記適性判定ステップによる判定結果に基づいて、生成される画像情報に所定の画像処理を施して補正する画像補正ステップと、
前記画像補正ステップにより補正された画像情報を前記印刷装置へ出力する出力ステップと、
を有することを特徴とするデータ処理装置で実行されるプログラム。
【手続補正３】
【補正対象書類名】明細書
【補正対象項目名】０００１
【補正方法】変更
【補正の内容】
【０００１】
【発明の属する技術分野】
本発明は、印刷装置で給紙される記録媒体の種別を取得して設定される印刷モードを調整可能なデータ処理装置および印刷制御方法およびコンピュータが読み取り可能なプログラムに関するものである。
【手続補正４】
【補正対象書類名】明細書
【補正対象項目名】００２１
【補正方法】変更
【補正の内容】
【００２１】
本発明は、上記の問題点を解決するためになされたもので、本発明の第１の目的は、メディアのセンス結果に基づいて、センスされているメディアがフチなし印刷可能かどうかを判別してセンスされているメディアに対する印刷処理を変更することにより、センスされているメディアに不適当なフチなし印刷が実行されて、印刷部において各種の障害が発生することを未然に防止できる利便性に優れたデータ処理装置および印刷制御方法およびコンピュータが読み取り可能なプログラムを提供することである。
【手続補正５】
【補正対象書類名】明細書
【補正対象項目名】００２２
【補正方法】変更
【補正の内容】
【００２２】
第２の目的は、用紙の種類を自動判別するとともに、フチなし印刷を行う印刷モードをユーザが選択した場合に、判別された用紙の種類では、全面印刷が不適当である場合には、自動的にその指定を解除して、用紙に余白のある状態で画像情報を出力して、全面印刷が不適当な用紙に対する全面印刷が実行されてしまうことによる印刷部における各種の障害発生を未然に防止できる利便性に優れたデータ処理装置および印刷制御方法およびコンピュータが読み取り可能なプログラムを提供することである。
【手続補正６】
【補正対象書類名】明細書
【補正対象項目名】００２３
【補正方法】変更
【補正の内容】
【００２３】
【課題を解決するための手段】
上記目的を達成する本発明のデータ処理装置は以下に示す構成を備える。
メディアのセンス結果を取得する取得手段と、前記取得手段による取得結果に基づきフチなし印刷可能なメディアか否かを判別する判別手段と、前記判別手段によりフチなし印刷可能なメディアでないと判別された場合、フチあり印刷に変更する変更手段とを有することを特徴とする。
【手続補正７】
【補正対象書類名】明細書
【補正対象項目名】００２４
【補正方法】変更
【補正の内容】
【００２４】
また、上記目的を達成する本発明のデータ処理装置は以下に示す構成を備える。
印刷部に搬送される用紙の特性情報の検出部を備え、用紙を搬送して該用紙の全面または一部へ印刷を行う印刷モードを設定可能な印刷装置と通信可能なデータ処理装置であって、前記用紙の特性情報を前記印刷装置より獲得する特性情報獲得手段と、前記検出部が検出可能な用紙の特性情報をグループ判定するための判別データを記憶する記憶手段と、前記特性情報獲得手段により獲得される特性情報と前記判別データとに基づいて、前記用紙の全面印刷の適否を判定する適性判定手段と、前記画像情報に対して全面印刷モードが指定されている場合に、前記適性判定手段による判定結果に基づいて、生成される画像情報に所定の画像処理を施して補正する画像補正手段と、前記画像補正手段により補正された画像情報を前記印刷装置へ出力する出力手段とを有することを特徴とする。
【手続補正８】
【補正対象書類名】明細書
【補正対象項目名】００２５
【補正方法】変更
【補正の内容】
【００２５】
上記目的を達成する本発明の印刷制御方法は以下に示す構成を備える。
メディアのセンス結果を取得する取得ステップと、前記取得ステップによる取得結果に基づきフチなし印刷可能なメディアか否かを判別する判別ステップと、前記判別ステップによりフチなし印刷可能なメディアでないと判別された場合、フチあり印刷に変更する変更ステップとを有することを特徴とする。
【手続補正９】
【補正対象書類名】明細書
【補正対象項目名】００２６
【補正方法】変更
【補正の内容】
【００２６】
また、上記目的を達成する本発明の印刷制御方法は以下に示す構成を備える。
印刷部に搬送される用紙の特性情報の検出部を備え、用紙を搬送して該用紙の全面または一部へ印刷を行う印刷モードを設定可能な印刷装置と通信可能なデータ処理装置における印刷制御方法であって、前記用紙の特性情報を前記印刷装置より獲得する特性情報獲得ステップと、前記特性情報獲得ステップにより獲得される特性情報と記憶される前記検出部が検出可能な用紙の特性情報をグループ判定するための判別データとに基づいて、前記用紙の全面印刷の適否を判定する適性判定ステップと、前記画像情報に対して全面印刷モードが指定されている場合に、前記適性判定ステップによる判定結果に基づいて、生成される画像情報に所定の画像処理を施して補正する画像補正ステップと、前記画像補正ステップにより補正された画像情報を前記印刷装置へ出力する出力ステップとを有することを特徴とする。
【手続補正１０】
【補正対象書類名】明細書
【補正対象項目名】００２７
【補正方法】変更
【補正の内容】
【００２７】
上記目的を達成する本発明のコンピュータが読み取り可能なプログラムは以下に示す構成を備える。
メディアのセンス結果を取得する取得ステップと、前記取得ステップによる取得結果に基づきフチなし印刷可能なメディアか否かを判別する判別ステップと、前記判別ステップによりフチなし印刷可能なメディアでないと判別された場合、フチあり印刷に変更する変更ステップとを有するプログラムであることを特徴とする。
【手続補正１１】
【補正対象書類名】明細書
【補正対象項目名】００２８
【補正方法】変更
【補正の内容】
【００２８】
また、上記目的を達成する本発明のコンピュータが読み取り可能なプログラムは以下に示す構成を備える。
印刷部に搬送される用紙の特性情報の検出部を備え、用紙を搬送して該用紙の全面または一部へ印刷を行う印刷モードを設定可能な印刷装置と通信可能なデータ処理装置が読み取り可能なプログラムであって、前記用紙の特性情報を前記印刷装置より獲得する特性情報獲得ステップと、前記特性情報獲得ステップにより獲得される特性情報と記憶される前記検出部が検出可能な用紙の特性情報をグループ判定するための判別データとに基づいて、前記用紙の全面印刷の適否を判定する適性判定ステップと、前記画像情報に対して全面印刷モードが指定されている場合に、前記適性判定ステップによる判定結果に基づいて、生成される画像情報に所定の画像処理を施して補正する画像補正ステップと、前記画像補正ステップにより補正された画像情報を前記印刷装置へ出力する出力ステップとを有するプログラムであることを特徴とする。
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】０３５８
【補正方法】変更
【補正の内容】
【０３５８】
【発明の効果】
以上説明したように、本発明によれば、メディアのセンス結果を取得し、該取得結果に基づきフチなし印刷可能なメディアでないと判別された場合、警告することにより、あるいは、メディアのセンス結果を取得し、該取得結果に基づきフチなし印刷できないメディアの可能性があると判別された場合、警告するので、センスされたメディアがフチなし印刷可能なメディアであるのか、フチなし印刷できないメディアであるのかを適時にユーザに明示して、フチなし印刷できないメディアに対する印刷が実行されてしまう事態を回避させることができる。
【手続補正１９】
【補正対象書類名】明細書
【補正対象項目名】０３５９
【補正方法】変更
【補正の内容】
【０３５９】
また、印刷部に搬送される用紙の特性情報の検出部を備え、用紙を搬送して該用紙の全面または一部へ印刷を行う印刷モードを設定可能な印刷装置と通信可能なデータ処理装置において、画像情報に対して全面印刷モードが指定されている場合に、前記用紙の特性情報を前記印刷装置より獲得し、該獲得される特性情報と記憶される判別データとに基づいて、用紙の全面印刷の適否を判定し、該判定結果に基づいて、生成される画像情報に所定の画像処理を施して補正した後、該補正後の画像情報を前記印刷装置へ出力するので、用紙の種類を自動判別するとともに、フチなし印刷を行う印刷モードをユーザが選択した場合に、判別された用紙の種類では、全面印刷が不適当である場合には、自動的にその指定を解除して、用紙に余白のある状態で画像情報を出力して、全面印刷が不適当な用紙に対する全面印刷が実行されてしまうことによる印刷部における各種の障害発生を未然に防止できる。
【手続補正２０】
【補正対象書類名】明細書
【補正対象項目名】０３６０
【補正方法】変更
【補正の内容】
【０３６０】
従って、用紙の種類を指定することなく、全面印刷モードを選択したユーザが給紙される用紙の種類によって、該全面印刷モードによる印刷がなされて印刷部で不具合が発生してしまう事態を回避しつつ、操作性を損なうことなく、適正な印刷結果を得ることができる利便性に優れた印刷操作環境をホストベースあるいはプリンタベースで自在に構築することができる等の優れた効果を奏する。
【手続補正２１】
【補正対象書類名】明細書
【補正対象項目名】０３６１
【補正方法】削除
【補正の内容】